(57)【要約】【課題】衝撃によるカバーやヒンジの破損を防ぎ、カバーに起因する構造や金型の大型化を防ぎ、電線の強い引張によるカバーの開きを防ぎ、電線の配索を容易にする。【解決手段】左右一対のコネクタハウジング２を下側の連結壁３で後側の左右一対の筒状壁４に連結し、一対の筒状壁を上部後側の連結壁５で連結し、一対の筒状壁の前面側に一対のヒンジ６を介してカバー７を開閉自在に連結し、各筒状壁に各端子付き電線２２を上向きに挿通して一対の筒状壁の間で下向きに折り返し、各端子２５を各コネクタハウジング内に上向きに挿入し、カバーを開き状態で一対のコネクタハウジングの間に位置させ、閉じ状態で一対の筒状壁の上部と上部間を覆うコネクタ１の電線保護カバー構造を採用する。【選択図】図１
2012146414.tif 000002
【特許請求の範囲】
【請求項１】
左右一対のコネクタハウジングが下側の連結壁で後側の左右一対の筒状壁に連結され、該一対の筒状壁が上部後側の連結壁で連結され、該一対の筒状壁の前面側に一対のヒンジを介してカバーが開閉自在に連結され、各筒状壁に各端子付き電線が上向きに挿通されて該一対の筒状壁の間で下向きに折り返され、各端子が各コネクタハウジング内に上向きに挿入され、該カバーが開き状態で該一対のコネクタハウジングの間に位置し、閉じ状態で該一対の筒状壁の上部と上部間を覆うことを特徴とするコネクタの電線保護カバー構造。
【請求項２】
左右一対のコネクタハウジングが下側の連結壁で後側の左右一対の筒状壁に連結され、該一対の筒状壁が上部後側の連結壁で連結され、片側の筒状壁の前面側に片側の幅広のヒンジを介してカバーが開閉自在に連結され、各筒状壁に各端子付き電線が上向きに挿通されて該一対の筒状壁の間で下向きに折り返され、各端子が各コネクタハウジング内に上向きに挿入され、該カバーが開き状態で該一対のコネクタハウジングの間に配置され、且つ該ヒンジとは反対側の該カバーの側端と該コネクタハウジングとの間に電線挿通用の隙間が設けられ、該カバーが閉じ状態で該一対の筒状壁の上部のうちの片側の上部と一対の上部間を覆うことを特徴とするコネクタの電線保護カバー構造。
【請求項３】
前記上部後側の連結壁の前側において前記各端子付き電線が下向きに折り返され、該電線の折り返され部分の左右両側に請求項１記載の前記カバーの閉じ状態における前記一対のヒンジが位置し、該電線の折り返され部分の左右片側に請求項２記載の前記カバーの閉じ状態における前記片側のヒンジが位置することを特徴とする請求項１又は２記載のコネクタの電線保護カバー構造。
【請求項４】
前記片側のヒンジとは反対側の前記筒状壁の上部に、前記電線を覆う前後一対の補助覆い壁が立設されたことを特徴とする請求項２記載のコネクタの電線保護カバー構造。
【発明の詳細な説明】
【技術分野】
【０００１】
本発明は、例えば自動車のサンバイザ用コネクタ等において、電線をカバーで覆って外部との干渉等から保護するコネクタの電線保護カバー構造に関するものである。
【背景技術】
【０００２】
図１６は、従来のコネクタの電線保護カバー構造の一形態を示すものである（特許文献１参照）。
【０００３】
このコネクタの電線保護カバー構造は、左右一対のコネクタハウジング５２を連結壁５３で連結し、連結壁５３の一側に左右一対の薄板状の不図示のヒンジを介してカバー１８を開閉自在に設け、連結壁５３に一対の不図示のバスバーを配置し、各バスバーの雄端子を各コネクタハウジング５２内に突出させてコネクタ部を構成し、コネクタハウジング５２と連結壁５３とに沿ってフラットケーブル５４を配索し、各バスバーの圧接端子にフラットケーブル５４の各電線（符号５４で代用）を圧接し、フラットケーブル５４をカバー１８で覆って保護したものである。コネクタハウジング５２と連結壁５３とカバー１８とバスバー等とでコネクタ５１が構成される（特許文献１ではブラケットと呼称している）。
【０００４】
カバー１８は閉じ時にヒンジとは反対側の先端壁１８ａの不図示の係止突起でコネクタハウジング５２側に係止される。コネクタハウジング５２は先端側にフランジ５５を有し、フランジ５５を自動車のトリム５６の表面に当接させ、フランジ５５に突設したフック５７をトリム５６の孔５８に貫通させ、トリム５６の裏面に当接させた不図示の相手コネクタの凹溝にフック５７を係合させると共に、相手コネクタの雌端子を収容したコネクタ部をコネクタハウジング５２内に挿入接続させる。
【０００５】
フック５７と凹溝の係合は、フック５７を孔５８に貫通させてコネクタ５１をトリム５６に沿って９０°回転させることで行われる。相手コネクタは、トリム５６の孔５８を貫通するねじで自動車の不図示のパネルに固定される。上記コネクタ５１は例えばサンバイザ用の夜間照明具等に給電するものとして機能する。
【先行技術文献】
【特許文献】
【０００６】
【特許文献１】特許第３８９１９６２号公報
【発明の概要】
【発明が解決しようとする課題】
【０００７】
しかしながら、上記従来のコネクタの電線保護カバー構造にあっては、カバー１８がコネクタハウジング５２の外側（図１６で後側）に開くために、カバー１８を開いた状態でコネクタ５１を落下等させた場合に、衝撃でカバー１８やヒンジが破損し兼ねないという懸念があった。また、カバー１８が開いた状態でコネクタハウジング５２の外側に大きく出っ張るために、構造が大型化し、コネクタ５１を樹脂成形するための金型が大型化・高コスト化するという懸念があった。また、電線５４が強く引っ張られた際に、カバー１８が浮き方向の力を受けて開き兼ねないという懸念があった。
【０００８】
本発明は、上記した点に鑑み、落下時等の衝撃でカバーやヒンジが破損する心配がなく、また、カバーに起因する構造や金型の大型化を抑止でき、それに加えて、電線が強く引っ張られたりした場合でもカバーが開く心配がなく、さらに、電線の配索作業を容易に行うことのできるコネクタの電線保護カバー構造を提供することを目的とする。
【課題を解決するための手段】
【０００９】
上記目的を達成するために、本発明の請求項１に係るコネクタの電線保護カバー構造は、左右一対のコネクタハウジングが下側の連結壁で後側の左右一対の筒状壁に連結され、該一対の筒状壁が上部後側の連結壁で連結され、該一対の筒状壁の前面側に一対のヒンジを介してカバーが開閉自在に連結され、各筒状壁に各端子付き電線が上向きに挿通されて該一対の筒状壁の間で下向きに折り返され、各端子が各コネクタハウジング内に上向きに挿入され、該カバーが開き状態で該一対のコネクタハウジングの間に位置し、閉じ状態で該一対の筒状壁の上部と上部間を覆うことを特徴とする。
【００１０】
上記構成により、各電線が各筒状壁の上部で内向きに屈曲しつつ折り返されて下向きに配索され、カバーの閉止により電線が各筒状壁の上部と各上部の間とでカバーに覆われて外部との干渉等なく保護されると共に、屈曲及び折り返し状態を維持される。カバーは開き時に筒状壁からヒンジを支点に前方に回動して一対のコネクタハウジングの間に位置し、一対のコネクタハウジングで落下等による外部との干渉等から保護される。各コネクタハウジングと各筒状壁と各連結壁とカバーとヒンジとでハウジング構造体が構成される。コネクタハウジングに端子が挿入されてコネクタ部を成し、コネクタ部に相手コネクタ部が上方から嵌合接続される。
【００１１】
請求項２に係るコネクタの電線保護カバー構造は、左右一対のコネクタハウジングが下側の連結壁で後側の左右一対の筒状壁に連結され、該一対の筒状壁が上部後側の連結壁で連結され、片側の筒状壁の前面側に片側の幅広のヒンジを介してカバーが開閉自在に連結され、各筒状壁に各端子付き電線が上向きに挿通されて該一対の筒状壁の間で下向きに折り返され、各端子が各コネクタハウジング内に上向きに挿入され、該カバーが開き状態で該一対のコネクタハウジングの間に配置され、且つ該ヒンジとは反対側の該カバーの側端と該コネクタハウジングとの間に電線挿通用の隙間が設けられ、該カバーが閉じ状態で該一対の筒状壁の上部のうちの片側の上部と一対の上部間を覆うことを特徴とする。
【００１２】
上記構成により、各電線が各筒状壁の上部で内向きに屈曲しつつ折り返されると共に、折り返され部がカバーの側端と一方のコネクタハウジングとの間の隙間を通って外側からカバーの内側に挿通されて一対の筒状壁の間で下向きに配索され、カバーの閉止により電線が片側の筒状壁の上部と各筒状壁の上部の間とでカバーに覆われて外部との干渉等なく保護されると共に、屈曲及び折り返し状態を維持される。カバーは開き時に片側の筒状壁からヒンジを支点に前方に回動して一対のコネクタハウジングの間に位置し、一対のコネクタハウジングで落下等による外部との干渉等から保護される。各コネクタハウジングと各筒状壁と各連結壁とカバーとヒンジとでハウジング構造体が構成される。コネクタハウジングに端子が挿入されてコネクタ部を成し、コネクタ部に相手コネクタ部が上方から嵌合接続される。
【００１３】
請求項３に係るコネクタの電線保護カバー構造は、請求項１又は２記載のコネクタの電線保護カバー構造において、前記上部後側の連結壁の前側において前記各端子付き電線が下向きに折り返され、該電線の折り返され部分の左右両側に請求項１記載の前記カバーの閉じ状態における前記一対のヒンジが位置し、該電線の折り返され部分の左右片側に請求項２記載の前記カバーの閉じ状態における前記片側のヒンジが位置することを特徴とする。
【００１４】
上記構成により、カバーの閉じ時に、折り返された電線が上部後側の連結壁で後方への移動（飛び出し）を阻止され、且つ前方のヒンジ寄りに位置する。この状態で、電線に後向きの強い引張力が作用した場合は、電線が上部後側の連結壁に当接して、カバーに開き方向の力を加えることができない。また、電線に前向きの強い引張力が作用した場合は、電線とヒンジとが同じ側（前側）に位置するから（カバーはヒンジを支点としてヒンジ側すなわち前側に開くので）、カバーに開き方向の力を加えることができず、かえって閉じ方向の力を付与する。このようにしてカバーの不意な開きが防止される。
【００１５】
請求項４に係るコネクタの電線保護カバー構造は、請求項２記載のコネクタの電線保護カバー構造において、前記片側のヒンジとは反対側の前記筒状壁の上部に、前記電線を覆う前後一対の補助覆い壁が立設されたことを特徴とする。
【００１６】
上記構成により、ヒンジとは反対側でカバーの側端とコネクタハウジングとの間に電線挿通用の隙間を構成するために、カバーを短く形成したことに伴う、ヒンジとは反対側の筒状壁の上部における電線の外部への露出が前後一対の補助覆い壁で防止され、一対の補助覆い壁で電線を前後から囲むことで、電線が外部との干渉等なく保護される。
【発明の効果】
【００１７】
請求項１記載の発明によれば、カバーを開き状態で一対のコネクタハウジングの間に位置させることで、例えばコネクタを落下等させた際に、一対のコネクタハウジングでカバーを保護して、カバーやヒンジの破損や変形等を確実に防ぐことができる。また、運搬時等にカバーを一対のコネクタハウジングの間に配置することで、荷姿を小型化することができる。また、コネクタハウジングと筒状壁と各連結壁とカバーとヒンジとを一体樹脂成形する際に、カバーを内側すなわち一対のコネクタハウジングの間に配置することで、樹脂成形用の金型を小型化・低コスト化することができる。
【００１８】
請求項２記載の発明によれば、カバーを開き状態で一対のコネクタハウジングの間に位置させることで、例えばコネクタを落下等させた際に、一対のコネクタハウジングでカバーを保護して、カバーやヒンジの破損や変形等を確実に防ぐことができる。また、運搬時等にカバーを一対のコネクタハウジングの間に配置することで、荷姿を小型化することができる。また、コネクタハウジングと筒状壁と各連結壁とカバーとヒンジとを一体樹脂成形する際に、カバーを内側すなわち一対のコネクタハウジングの間に配置することで、樹脂成形用の金型を小型化・低コスト化することができる。また、カバーの開き状態でカバーの側端とコネクタハウジングとの間の隙間から、折り返した電線をカバーの内側に挿通させることで、電線の配索作業を容易に行うことができる。
【００１９】
請求項３記載の発明によれば、カバーを閉じた状態で、電線に強い引張力等が作用した場合でも、カバーに開き方向の力が作用しないから、カバーの不意な開きを防止することができる。
【００２０】
請求項４記載の発明によれば、カバーの側端とコネクタハウジングとの間に電線挿通用の隙間を形成するべくカバーを短く形成したことに起因する、ヒンジとは反対側の筒状壁の上部における電線の露出を前後一対の補助覆い壁で防いで、電線を確実に保護することができる。
【図面の簡単な説明】
【００２１】
【図１】本発明のコネクタの電線保護カバー構造におけるハウジング構造体の第一の実施形態を示す斜視図である。
【図２】ハウジング構造体を従来例と比較して示す平面図である。
【図３】ハウジング構造体を示す正面図である。
【図４】ハウジング構造体を示す側面図である。
【図５】ハウジング構造体に端子付き電線を組み付ける状態を示す斜視図である。
【図６】ハウジング構造体に端子を収容し電線を挿通した状態を示す斜視図である。
【図７】電線を折り返してカバーとの間に挿通させた組付状態を示す斜視図である。
【図８】カバーを閉止して電線を保護した状態すなわちコネクタの電線保護カバー構造を示す斜視図である。
【図９】本発明のコネクタの電線保護カバー構造におけるハウジング構造体の第二の実施形態を示す斜視図である。
【図１０】ハウジング構造体の要部を示す平面図である。
【図１１】ハウジング構造体の要部を示す正面図である。
【図１２】ハウジング構造体の要部を示す側面図である。
【図１３】ハウジング構造体に電線を組み付けた状態を示す平面図である。
【図１４】ハウジング構造体に電線を組み付けた状態を示す斜視図である。
【図１５】カバーを閉止して電線を保護した状態すなわちコネクタの電線保護カバー構造を示す斜視図である。
【図１６】従来のコネクタの電線保護カバー構造の一形態を示す分解斜視図である。
【発明を実施するための形態】
【００２２】
図１〜図８は、本発明に係るコネクタの電線保護カバー構造の第一の実施形態を示すものである。
【００２３】
図１の如く、このコネクタの電線保護カバー構造は、絶縁樹脂製のハウジング構造体１を備え、ハウジング構造体１は、左右一対の垂直なコネクタハウジング２と、各コネクタハウジング２の底部から後方に水平に延長された中空樋状の左右一対の電線挿通用の連結壁３と、連結壁３から上向にコネクタハウジング２よりも高く突出形成された左右一対の電線挿通用の筒状壁４と、各筒状壁４の上部を連結する水平な連結杆５と、筒状壁４の前面に左右一対の薄板可撓性のヒンジ６を介して各筒状壁４の上部を開閉自在とする電線保護カバー（以下カバーと言う）７とを備えたものである。
【００２４】
カバー７は開いた状態で左右一対のコネクタハウジング２の間に配置される。左右一対のヒンジ６はカバー７の開き状態でカバー７の左右端部の後端に連結され、上向き円弧状（略半円状）に位置する。カバー７は開き状態で縦断面略凹字状に形成され、垂直な先端壁７ａと基端壁７ｂと水平な天壁７ｃと、天壁７ｃの内面に横断方向に設けられた左右一対の電線押さえ用のリブ８と、先端壁７ａの中央に垂設された可撓性の係止爪９とを備えている。
【００２５】
各筒状壁４の前面上部に凹字状の枠壁１０と枠壁１０内の凹溝（ヒンジ収容溝）１１とが垂直に設けられ、凹溝１１は上端を開口され、下端を枠壁１０の下部で封止されている。各筒状壁４は横断面略矩形状に形成され、各筒状壁４の上部は内向きに湾曲している。各筒状壁４の上部開口４ａから内向きに電線支持用の水平な短い支持壁１２が対向して突設され、各支持壁１２の間に電線挿通用の矩形状の隙間１３が設けられ、支持壁１２は下向きの傾斜面１４で枠壁に続いている。支持壁１２の後端に板状の連結杆（上部後側の連結壁）５が立設され、連結杆５は水平な電線ガイドと、カバー７の係止爪９の内向きの爪部９ａを係合させる被係止部として作用する。連結杆５の後側に各筒状壁４の上部後端の水平なリブ１５が続いている。
【００２６】
各コネクタハウジング２は横断面矩形状に形成され、上端に不図示の相手コネクタの雄端子に対する挿入口２ａを有し、下端に電線付き端子に対する挿入口２ｂ（図５）を有し、各挿入口（開口）２ａ，２ｂはコネクタハウジング２内の不図示の端子収容室に連通している。各コネクタハウジング２の下端に前向きの爪部（フック）１６が突設され、各筒状壁４の下端に後向きの爪部１７が突設されている。各爪部１６，１７は例えば不図示のトリムの孔を貫通して相手コネクタの凹溝に嵌合する固定部として作用する。トリム等については従来例の図１６参照。
【００２７】
図２（平面図）の如く、カバー７は開き状態で左右一対のコネクタハウジング２の間に少しの隙間を存して水平に位置し、カバー７の先端７ａはコネクタハウジング２の前端と略同一垂直面上に位置し、下端の爪部１６の先端（前端）よりも少し後方に位置する。
【００２８】
図２に鎖線で従来例（図１６）のカバー１８とヒンジ１９の開き位置を示す如く、従来例に較べて本例のカバー７が一対のコネクタハウジング２の間で左右を囲まれて位置し、左右のヒンジ６も一対のコネクタハウジング１の間で奥側（筒状壁４寄り）に位置するので、例えば作業者が床等にハウジング構造体１を落下させた際に、カバー７やヒンジ６が左右のコネクタハウジング２で保護されて破損等を防止される。
【００２９】
また、本例のハウジング構造体１に対して従来例のカバー１８を外開きに設けた場合は、カバー開き時の前後方向の寸法Ｌが肥大化するが、本例のカバー７は内向きに開く、すなわち一対のコネクタハウジング２の間の空間を利用して開くようにしたことで、前後方向の寸法Ｌ１がコンパクト化され、ハウジング構造体１を樹脂成形するための金型も小型化・低コスト化される。
【００３０】
図２でコネクタハウジング２の上部後半に相手端子挿入口２ａ、上部前半に端子係止ランス型抜き孔２ｃがそれぞれ配置されている。符号９は係止爪、８は電線押さえ用のリブをそれぞれ示す。筒状壁４の上部には電線挿通用の開口４ａが前後方向に長い長円状に位置している。１２は電線支持壁であり、各電線支持壁１２の間の切欠部状の幅狭の空間（隙間）１３は各ヒンジ６の間の幅広の空間２０に連通して略Ｔ字状の空間すなわち孔をなしている。カバー係止用の連結杆（リブ）５の後側に係止爪９を係合させる凹溝５ａが形成されている。符号３は下部連結壁を示す。
【００３１】
図３（正面図）の如く、各コネクタハウジング２の下部は水平方向の連結壁２１で連結補強されている。図２，図４（側面図）の如く、下部連結壁２１は後側の爪部（フック）１７の先端と略同一垂直面上まで平面視で略凹字状に突出している。図３の如く、筒状壁４の上部は外側壁のみが内向きに湾曲し（湾曲部を符号４ｂで示す）、内側壁４ｃは真直（垂直）に立ち上げられている。筒状壁４内の電線２２（図６）は湾曲状の外側壁４ｂの内面に沿って内向きに湾曲する。
【００３２】
図３，図４の如く、カバー７は開き状態で天壁７ｃが各コネクタハウジング２の上部の内側に位置する。カバー７の係止爪９と基端壁７ｂとヒンジ６はコネクタハウジング２よりも上方に位置するが、筒状壁４よりも低く位置するので、落下時等にたとえ係止爪９が外部と干渉しても、ヒンジ６の可撓性でカバー７全体が一対のコネクタハウジング２の間に速やかに押し込まれ（収容され）、それ以上の干渉が防止され、カバー７が各コネクタハウジング２間で安全に保護される（コネクタハウジング２の外面が外部と干渉する）から、カバー７の有害な損傷等が起こらない。
【００３３】
カバー７の先端壁７ａは縦方向に短く、基端壁７ｂは縦方向に長く形成され、上側の連結壁５とその後側のリブ１５がカバー７の閉じ時の先端壁７ａに対応（当接）し、各筒状壁４の前端上部と後端上部とに短いリブ２３，２４が突設され、左右のリブ２３の間で各支持壁１２の上面に沿ってカバー７の閉じ時の基端壁７ｂが位置する。ヒンジ６は自由状態においてカバー７を略水平に開いて各コネクタハウジング２間に位置させるように付勢することが好ましい。
【００３４】
図５の如く、各筒状壁４内に下部開口４ｄから各電線２２が挿通（貫通）され、電線２２に接続された端子２５が各コネクタハウジング２内に下部開口２ｂから挿入される。電線２２は絶縁被覆電線である。端子２５はＬ字状に屈曲されたＬ字状端子で、垂直な雌型の電気接触部２５ａと水平な電線圧着部（接続部）２５ｂとを有する。コネクタハウジング２と端子２５とでコネクタ部（符号２で代用）が構成され、電線２２付き端子２５とハウジング構造体１とでコネクタ２６（図６）が構成される。
【００３５】
下側の連結壁３はコネクタハウジング２の下部開口２ｂと筒状壁４の下部開口４ｄとに連通する水平な空間３ａを有しており、空間３ａに端子２５の電線圧着部２５ｂが収容される。これにより、Ｌ字状端子２５と電線接続部２５ｂとがコネクタハウジング２と連結壁３との内側で保護絶縁される。電線２２は電線圧着部２５ｂから上向きに屈曲されて、端子２５と電線２２とが略コ（凹）字状に交差（屈曲）している。各電線２２は筒状壁４の上部外側の湾曲面４ｂに沿って内向きに湾曲して二本近接して左右並列に配置される。
【００３６】
図６の如く、各端子２５を各コネクタハウジング２内に挿入した状態で、各電線２２を矢印の如く下向きに折り返してカバー７と左右のヒンジ６と上側の連結壁５とで囲まれた幅広の空間２０に挿通させつつ、左右の支持壁１２の間の幅狭の空間１３に挿通させる（組み込む）。ヒンジ６間の広い空間２０があるので電線２２の挿通作業は容易に行われる。
【００３７】
図７の如く、各筒状壁４の上部開口４ａから水平な各電線部分２２ａが各支持壁１２の上面に沿って配索され、水平な各電線部分２２ａから下向きに垂直に左右の支持壁１２の間の隙間１３を通って左右の筒状壁４の間の空間２７を経て、下側の連結壁２１の内面に沿って外部に導出される。電線２２の上部は筒状壁４の上部開口４ａから支持壁１２と支持壁１２間の隙間１３に沿って略コの字（逆凹字）状に屈曲し、上部から垂直な電線部分（折り返され部分）２２ｂが空間２７内を垂下される。
【００３８】
図７の湾曲状のヒンジ６を支点にカバー７を上向きに回動させて、図８の如く、カバー７を支持壁１２の上側に被せて、カバー７の内側に支持壁１２上の水平な電線部分２２ａを収容保護する。電線部分２２ａはカバー７の内面の押さえ用のリブ８（図１）で押圧されてコの字状の屈曲状態を維持する。カバー７の後側の係止爪９は上側の連結杆５に係合してロックされる。係止爪９の垂直な板部分（符号９で代用）が連結杆５の垂直な後面に接し、板部分の先端の爪部９ａが連結杆５の水平な下面に係合する。ヒンジ６は枠壁１０の凹溝１１内に垂直に収容されて外部への出っ張りを防止される。
【００３９】
カバー７の左右両側で筒状壁４の上部開口４ａは外部に連通するが、水平な電線部分２２ａよりも高く筒状壁４の上端の前後のリブ２３，２４が突出して電線部分２２ａの外側に続く屈曲部２２ｃを保護する。
【００４０】
図８のカバー７の閉止状態で、左右の支持壁１２の間の凹部空間（切欠部）１３において例えば突起物等がカバー７の基端壁７ｂに引っ掛かって、カバー７が上向きに押圧された場合でも（カバー７の先端壁７ａは後側の連結杆５で保護されるので突起物等が引っ掛かることはない）、垂直なヒンジ６と凹部空間１３とが同じ側すなわち図８で前側に配置されているので、カバー７が不意に開く心配はない。
【００４１】
従来例においては、図２の如く凹部空間１３が前側、ヒンジ１９が後側というように異なる側（方向）に配置されるので、凹部空間１３において閉じ状態のカバー１８の先端壁に突起物等が引っ掛かった場合にカバー１８が不意に開きやすい。この問題を本例のカバー構造で解消している。
【００４２】
また、カバー７を含むハウジング構造体１は、カバー７を開いた形態で一体樹脂成形されるが、開き状態のカバー７がハウジング構造体１の外側ではなく内側（一対のコネクタハウジング２の間）に位置するから、樹脂成形用の金型が小型化・低コスト化される。これは後述の第二の実施形態においても同様である。
【００４３】
図９〜図１５は、本発明に係るコネクタの電線保護カバー構造の第二の実施形態を示すものである。
【００４４】
図９の如く、コネクタの電線保護カバー構造は、絶縁樹脂製のハウジング構造体３１を備え、ハウジング構造体３１は図１の実施形態のハウジング構造体１と較べて、カバー３２のヒンジ３３が一つであり、カバー３２の開き状態で、ヒンジ３３のない側のカバー３２の端部（右端）とコネクタハウジング２との間に電線挿通用の隙間３４が形成された点で大きく相違している。
【００４５】
また、カバー３２は図１のカバー７よりも右側（ヒンジ３３のない側）が短く形成され、右側の筒状壁４の上部に、カバー３２の代わりに電線２２を保護する前後の補助覆い壁３５，３６を立設した点でも相違している。これら以外の構成は第一の実施形態と概ね同様であるので、同じ構成部分には同じ符号を付して詳細な説明を省略する。
【００４６】
図９の如く、カバー３２は左端側を図１の例よりも幅広のヒンジ３３で左側の筒状壁４の前面に連結され、カバー３２の右端側は自由端で且つ天壁３２ｃの右端から立設された側部覆い壁（側端）３２ｄを有している。側部覆い壁３２ｄは先端壁３２ａと同じ高さに形成され、基端壁３２ｂは先端壁３２ａよりも高く突設されている。側部覆い壁３２ｄは右端のみに形成されており、天壁３２ｃと基壁３２ｂと先端壁３２ａとで縦断面略樋状をなし、左端は略樋状のまま開口している。カバー３２の左端は閉じ状態で左側の筒状壁４の上部の外側（左側）の壁部４ｅの上端に近接しつつ、前後の壁部から立ち上げられた短いリブ壁２３，２４に接触して隙間を防ぐ（図１５参照）。
【００４７】
カバー３２の先端壁３２ａの右寄りに係止爪９が立設されている。側部覆い壁３２ｄは右側のコネクタハウジング２の左壁２ｅに対向し、側部覆い壁３２ｄと左壁２ｅとの間にほぼコネクタハウジング２の幅と同程度の広い隙間３４が設けられている。隙間３４は電線挿通隙間として作用する（図１３の矢印３７の電線挿入路参照）。図１の例よりも幅広のヒンジ３３はカバー３２を開き状態で上下方向の傾きなく略水平に支える。ヒンジ３３が幅広になった分、左側の筒状壁４の前面の枠壁３８と枠壁３８内の凹溝３８ａが幅広に形成されている。
【００４８】
左右一対のコネクタハウジング２と左右一対の筒状壁４とは、上側の板状の連結杆（壁）５と下側の中空樋状の連結壁３と各筒状壁４間の下側の連結壁２１とで連結され、各コネクタハウジング２の下端と各筒状壁４の下端とは相手コネクタへの固定用の爪部（フック）１６，１７を有している。コネクタハウジング２と下側の連結壁３と筒状壁４とで側面視コの字状をなし、これらは内側のリブ３９で補強されている。これらの構造は図１の例と同様である。
【００４９】
右側の筒状壁４は上半部前面に略三角形状の垂直な壁部４０を有し、壁部４０の下端の左上りの傾斜面４０ａは図１の例の傾斜面１４よりも下方まで長く延長形成され（図１１参照）、カバー３２とコネクタハウジング２との間の隙間３４から導入された電線２２（図１３）を傾斜面４０ａに沿ってスムーズに上側の左右一対の支持壁１２の間の矩形切欠部状（凹溝状）の空間１３に案内する。
【００５０】
三角状の壁部４０の右側上部に垂直な略矩形ないし台形状の補助覆い壁３５が突設され（図１１，図１２，図１４参照）、補助覆い壁３５の後側で三角状の壁部４０の上端に直交して水平な支持壁１２が設けられている（図１０参照）。支持壁１２は電線２２の水平部２２ａ（図１３）を支持する。右側の筒状壁４の後壁部の上端に前側の補助覆い壁３５と対向して矩形状の補助覆い壁３６が垂直に立設されている（図１２，図１４参照）。後側の補助覆い壁３６の左端の前側に連結杆５が一体に続き（図１０参照）、連結杆５の左端の後側に左側の筒状壁４の上部の水平なリブ１５がラップして位置し（図１３参照）、右後側の補助覆い壁３６と左側のリブ１５との間にカバー３２の係止爪９を係合させる凹溝５ａ（図１０）が形成されている。
【００５１】
図１０の如く、開き時のカバー３２の前端はコネクタハウジング２の前端と略同一垂直面上に位置する。カバー３２の左端は右側の筒状壁４の上部前側の補助覆い壁３５の左端と略同一垂直面上に位置する。本例の右側の支持壁１２は左側の支持壁１２よりも幅狭に形成されている。カバー３２の左半部の内面に電線押さえ用のリブ８が設けられ、カバー３２の閉止時に左端の覆い壁（リブ）３２ｄと共に各電線２２の水平部２２ａを押圧する（図１５参照）。カバー３２の閉止時に左側のリブ８は左側の支持壁１２に対応し、右側のリブ３２ｄは右側の支持壁１２に対向して位置する。
【００５２】
図１１の如く、前側の補助覆い壁３５は筒状壁４の前側上端のリブ２３よりも高く突出している。三角形状の垂直な壁部４０の傾斜面４０ａはカバー３２の先端壁３２ａや天壁３２ｃよりも高く位置し、係止爪９は傾斜面４０ａの上端よりも低く、左右のコネクタハウジング２の中央に位置する。
【００５３】
図１２の如く、前後の補助覆い壁３５，３６は同じ高さに突出し、両補助覆い壁３５，３６の間に電線挿通（配索）用の水平な溝４１が形成されている。カバー３２の天壁３２ｃはコネクタハウジング２の上端よりもやや低く位置し（図１１参照）、カバー２の先端壁３２ａと係止爪９がコネクタハウジング２の前面と略同一垂直面上に位置し、基端壁３２ｃがコネクタハウジング２の後面と略同一垂直面上に位置し、基端壁３２ｃからヒンジ３３が上向きに半円状に湾曲して筒状壁４の高さ方向中間部に交差して続いている。
【００５４】
図１３，図１４の如く、コネクタハウジング２内にＬ字状端子２５を挿入し、端子付きの電線２２を筒状壁４の下部開口から上部開口４ａに貫通させ、前例の図６におけると同様に上向きの電線２２を下向きに折り返し、図１３の矢印３７の如くカバー３２の右端と右側のコネクタハウジング２の左端との間の隙間３４からカバー３２の後端と筒状壁４の前端との間の隙間２０を経て左右の支持壁１２の間の切欠部状の空間１３に下向きに挿通させる。図１４の如く、電線２２は筒状壁４の上部開口４ａから支持壁１２に沿って内向きに屈曲し、支持壁１２から下向きに、左右の筒状壁４の下側の板状の連結壁２１すなわちガイド壁に沿って下方（外部）へ導出される。Ｌ字状端子２５や電線２２は図５の例におけると同じである。
【００５５】
図１３の矢印３７の如く、カバー３２とコネクタハウジング２との間を経て電線２２をカバー３２の内側に挿通させることで、図６の例に較べて折り返した電線部分（折り返され部分）２２ｂをカバー３２の内側に挿通（貫通）させる作業を容易に行うことができる。
【００５６】
図１４の如く、右側の筒状壁４の上部で前後一対の補助覆い壁３５，３６の間に電線２２が水平に挿通され、各補助覆い壁３５，３６は電線２２の水平部分２２ａよりも高く位置して、電線２２の水平部分２２ａをカバー３２なしで外部からの干渉等なく安全に保護する。各補助覆い壁３５，３６の左端部３５ａ，３６ａは内向きに屈曲して電線２２の通路を狭めて電線２２のガタつきを防ぐ。
【００５７】
図１５の如く、カバー３２を閉止することで、左側の支持壁１２上の電線２２の水平部分２２ａと右側の支持壁１２上の電線２２の水平部分２２ａの左半部とが覆われて外部との干渉等なく保護されると共に、カバー３２の内側の各リブ８，３２ｄ（図１０）で電線部分２２ａの浮き上がりが阻止される。カバー３２の係止爪９は後側の連結杆５（図１４）に係合する。ヒンジ３３は枠壁３８内の凹溝３８ａに収容される。
【００５８】
左右の支持壁１２間の凹部１３においてカバー３２の基端壁３２ｂに突起物等が引っ掛かった場合でも、基端壁３２ｂがヒンジ３３と同じ側に位置しているので、カバー３２が不意に開く心配がない。右側の筒状壁４の上部に露出した電線２２の屈曲部２２ｃと屈曲部２２ｃに続く水平部２２ａは前後の補助覆い壁３５，３６で覆われて保護される。
【産業上の利用可能性】
【００５９】
本発明に係るコネクタの電線保護カバー構造は、例えば自動車のサンバイザ用のコネクタとして、製造過程における落下等の衝撃によるカバーやヒンジの破損を防ぐと共に、カバーに起因する構造の大型化を抑止し、しかも電線の強い引張力によるカバーの不意な開きを防止するために利用することができる。
【符号の説明】
【００６０】
１          コネクタ
２          コネクタハウジング
３          下側の連結壁
４          筒状壁
５          連結杆（上部後側の連結壁）
６          一対のヒンジ
７          カバー
２２        電線
２２ｂ      折り返され部分
２５        端子
３１        コネクタ
３２        カバー
３２ｄ      側部覆い壁（側端）
３３        片側のヒンジ
３４        隙間
３５，３６  補助覆い壁
【図１】
2012146414.tif 000003
【図２】
2012146414.tif 000004
【図３】
2012146414.tif 000005
【図４】
2012146414.tif 000006
【図５】
2012146414.tif 000007
【図６】
2012146414.tif 000008
【図７】
2012146414.tif 000009
【図８】
2012146414.tif 000010
【図９】
2012146414.tif 000011
【図１０】
2012146414.tif 000012
【図１１】
2012146414.tif 000013
【図１２】
2012146414.tif 000014
【図１３】
2012146414.tif 000015
【図１４】
2012146414.tif 000016
【図１５】
2012146414.tif 000017
【図１６】
2012146414.tif 000018